(57)【要約】【課題】不完全な電子透かし情報の読み取りでもサービス情報を提示でき、電子透かしの読み取り品質に応じてユーザに提示するサービス情報の品質をコントロール可能にする。【解決手段】コンテンツデータに対し、複数のパートからなるサービスインデックスを付加するサービスインデックス付加手段４と、サービスインデックスの任意のパートまたは任意のパートの組み合わせ毎にサービス情報を対応付けして登録し保持するサービス情報保持手段３と、サービスインデックスを取得するサービスインデックス取得手段５と、そのサービスインデックスを用いてサービス情報を検索して取得するサービス情報取得手段６とを備え、コンテンツに関連するサービス情報をユーザに提供する。【選択図】            図１
2004336187.tif 000002
【特許請求の範囲】
【請求項１】
コンテンツデータに対し、該コンテンツデータに関連するサービス情報を検索するための複数のパートからなるサービスインデックスを付加するサービスインデックス付加手段と、
サービスインデックス付加手段とともに提供者装置に設けられ、サービスインデックスの任意のパートまたは任意のパートの組み合わせ毎にサービス情報を対応付けして登録し保持するサービス情報保持手段と、
サービスインデックス付加手段でコンテンツデータに付加されたサービスインデックスを取得するサービスインデックス取得手段と、
サービスインデックス取得手段とともに利用者装置に設けられ、サービスインデックス取得手段で取得したサービスインデックスの任意のパートまたは任意のパートの組み合わせを用いてこれに対応するサービス情報を前記サービス情報保持手段から検索して取得するサービス情報取得手段とを備え、
コンテンツデータに関連するサービス情報を利用者に提供する
ことを特徴とするコンテンツ関連情報提供システム。
【請求項２】
前記サービスインデックス付加手段が電子透かし技術によりコンテンツデータにサービスインデックスの各パートを埋め込み、前記サービスインデックス取得手段がサービスインデックス付加手段からの透かし埋め込み済みコンテンツデータの中からサービスインデックスの各パートを検出するものであることを特徴とする請求項１に記載のコンテンツ関連情報提供システム。
【請求項３】
前記サービスインデックス付加手段が、サービスインデックスを複数のパートに分解して、各パート毎に異なる電子透かし埋め込み方式を用いてコンテンツデータに埋め込む電子透かし埋め込み装置であることを特徴とする請求項１に記載のコンテンツ関連情報提供システム。
【請求項４】
前記サービスインデックス取得手段が、電子透かし埋め込み装置からの透かし埋め込み済みコンテンツデータを入力として、複数の異なる電子透かし検出方式を用いてサービスインデックスを各パート毎に検出する電子透かし検出装置であることを特徴とする請求項１に記載のコンテンツ関連情報提供システム。
【請求項５】
前記サービスインデックス付加手段でコンテンツデータにサービスインデックスを埋め込む電子透かし埋め込み方式が、同一アルゴリズムの埋め込みパラメータの相違で複数種類用意されることを特徴とする請求項３に記載のコンテンツ関連情報提供システム。
【請求項６】
前記サービスインデックス付加手段でコンテンツデータにサービスインデックスを埋め込む電子透かし埋め込み方式が、異なる種類の耐性を持つアルゴリズムの相違で複数種類用意されることを特徴とする請求項３に記載のコンテンツ関連情報提供システム。
【請求項７】
前記サービスインデックス取得手段で透かし埋め込み済みコンテンツデータからサービスインデックスを検出する電子透かし検出方式を、同一アルゴリズムの検出パラメータの相違で複数種類用意されることを特徴とする請求項４に記載のコンテンツ関連情報提供システム。
【請求項８】
前記サービスインデックス取得手段で透かし埋め込み済みコンテンツデータからサービスインデックスを検出する電子透かし検出方式を、異なる種類の耐性を持つアルゴリズムの相違で複数種類用意されることを特徴とする請求項４に記載のコンテンツ関連情報提供システム。
【請求項９】
コンテンツデータに対し、該コンテンツデータに関連するサービス情報を検索するための複数のパートからなるサービスインデックスを付加するサービスインデックス付加ステップと、
サービスインデックスの任意のパートまたは任意のパートの組み合わせ毎にサービス情報を対応付けして登録し保持するサービス情報保持ステップと、
サービスインデックス付加ステップでコンテンツデータに付加されたサービスインデックスを取得するサービスインデックス取得ステップと、
サービスインデックス取得ステップで取得したサービスインデックスの任意のパートまたは任意のパートの組み合わせを用いてこれに対応するサービス情報を検索して取得するサービス情報取得ステップとを含み、
コンテンツデータに関連するサービス情報をユーザに提供する
ことを特徴とするコンテンツ関連情報提供方法。
【請求項１０】
サービスインデックスを複数のパートに分解して各パート単位で意味付けし、各パート毎に異なる埋め込み方式または異なる埋め込み強度でコンテンツデータに埋め込むことを特徴とする請求項９に記載のコンテンツ関連情報提供方法。
【請求項１１】
サービスインデックスを複数のパートに分解して各パート単位で意味付けすることなく、各パート毎に異なる埋め込み方式または異なる埋め込み強度でコンテンツデータに埋め込むことを特徴とする請求項９に記載のコンテンツ関連情報提供方法。
【請求項１２】
コンテンツデータに対し、該コンテンツデータに関連するサービス情報を検索するための複数のパートからなるサービスインデックスを付加するサービスインデックス付加手段と、
サービスインデックスの任意のパートまたは任意のパートの組み合わせ毎にサービス情報を対応付けして登録し保持するサービス情報保持手段とを備え、
サービスインデックス付加手段でコンテンツデータに付加されたサービスインデックスに基づいて、前記サービス情報保持手段に保持されたサービス情報を利用者装置へ提供する
ことを特徴とする提供者装置。
【請求項１３】
提供者装置からコンテンツデータに付加されたサービスインデックスを取得するサービスインデックス取得手段と、
サービスインデックス取得手段で取得したサービスインデックスの任意のパートまたは任意のパートの組み合わせを用いてサービス情報を提供者装置から検索して取得するサービス情報取得手段とを備え、
コンテンツとともにこのコンテンツに関連するサービス情報の提供を受ける
ことを特徴とする利用者装置。
【請求項１４】
コンテンツデータに対し、該コンテンツデータに関連するサービス情報を検索するための複数のパートからなるサービスインデックスを付加するサービスインデックス付加ステップと、
サービスインデックスの任意のパートまたは任意のパートの組み合わせ毎にサービス情報を対応付けして登録し保持するサービス情報保持ステップと、
サービスインデックス付加ステップでコンテンツデータに付加されたサービスインデックスを取得するサービスインデックス取得ステップと、
サービスインデックス取得ステップで取得したサービスインデックスの任意のパートまたは任意のパートの組み合わせを用いてこれに対応するサービス情報を検索して取得するサービス情報取得ステップとをコンピュータに実行させる
ことを特徴とするコンテンツ関連情報提供プログラム。
【発明の詳細な説明】
【０００１】
【発明の属する技術分野】
本発明は、コンテンツに付随するサービス情報を消費者に提供する、コンテンツ関連情報提供システム、コンテンツ関連情報提供方法、提供者装置、利用者装置およびプログラムに関するものである。
【０００２】
【従来の技術】
画像や映像あるいは音声といったコンテンツの流通の際、コンテンツデータ自体のみをユーザに提供するのではなく、例えば商業用広告（ＣＭ）のような別のサービスの広告情報を付加して提供することで、コンテンツ流通を広告ビジネスとして利用する方法が既に実現されている。
【０００３】
また、コンテンツとサービス情報とを結び付ける方法として、コンテンツの編集加工や印刷などのアナログ出力でも結び付きを維持するために、電子透かし情報を用いる方法も提案されている。
【０００４】
このような電子透かし技術では、例えばコンテンツのＩＤを、コンテンツの中に埋め込み、サービス提示時には、コンテンツの中からコンテンツＩＤを読み出し、このコンテンツＩＤに予め結び付けられたサービス情報を提示する、という方法をとる（例えば、特許文献１参照）。
【０００５】
【特許文献１】
特開２０００−３２２４３１号公報（第４頁、図１）
【０００６】
【発明が解決しようとする課題】
しかしながら、従来の電子透かし技術によるサービス情報の埋め込みおよびサービス情報の提示方法にあっては、埋め込まれた電子透かし情報が完全な形で読み取れなければ、サービス情報の提示ができなかった。さらに、電子透かしの読み取り品質に応じて、提示するサービス情報の品質をコントロールすることができないという不都合があった。
【０００７】
本発明は前記のような課題を解決するものであり、不完全な電子透かし情報の読み取りでもサービス情報を提示でき、さらに電子透かしの読み取り品質に応じてユーザに提示するサービス情報の品質をコントロールすることができるコンテンツ関連情報提供システム、コンテンツ関連情報提供方法、提供者装置、利用者装置およびプログラムを得ることを目的とする。
【０００８】
【課題を解決するための手段】
前記目的達成のために、請求項１の発明にかかるコンテンツ関連情報提供システムは、コンテンツデータに対し、該コンテンツデータに関連するサービス情報を検索するための複数のパートからなるサービスインデックスを付加するサービスインデックス付加手段と、サービスインデックス付加手段とともに提供者装置に設けられ、サービスインデックスの任意のパートまたは任意のパートの組み合わせ毎にサービス情報を対応付けして登録し保持するサービス情報保持手段と、サービスインデックス付加手段でコンテンツデータに付加されたサービスインデックスを取得するサービスインデックス取得手段と、サービスインデックス取得手段とともに利用者装置に設けられ、サービスインデックス取得手段で取得したサービスインデックスの任意のパートまたは任意のパートの組み合わせを用いてこれに対応するサービス情報を前記サービス情報保持手段から検索して取得するサービス情報取得手段とを備え、コンテンツデータに関連するサービス情報を利用者に提供することを特徴とする。
【０００９】
これにより、サービスインデックス付加手段において、コンテンツデータにサービスインデックスの各パートが異なる埋め込み方式で埋め込まれることから、埋め込まれた各パートの電子透かし耐性はそれぞれ異なるものとなる。また、任意のパートまたは任意のパートの組み合わせに対して提供するサービス情報を対応付けるので、前記電子透かし耐性との兼ね合いから、検出時のコンテンツデータ品質を想定して、該コンテンツデータ品質が維持されているときにのみ提供を行うサービス情報を設定することができる。サービスインデックス取得手段では、電子透かし検出によって、サービスインデックスの各パートをそれぞれ異なる検出方式で検出するが、この際、各パート毎の検出の成否、あるいは信頼度指標の情報である検出状況情報も取得する。検出したサービスインデックスと検出状況情報に対応付けられているサービス情報を提供することで、電子透かしの読み取り品質、すなわち、コンテンツデータの品質に応じてサービス情報の提供が実現できる。
【００１０】
また、請求項２の発明にかかるコンテンツ関連情報提供システムは、前記サービスインデックス付加手段が電子透かし技術によりコンテンツデータにサービスインデックスの各パートを埋め込み、前記サービスインデックス取得手段がサービスインデックス付加手段からの透かし埋め込み済みコンテンツデータの中からサービスインデックスの各パートを検出するものであることを特徴とする。
【００１１】
これにより、コンテンツデータに対するサービス情報の結び付けと、結び付けられたサービス情報の利用者への提示および流通を実現でき、広告効果ビジネスへの利用が可能になる。
【００１２】
また、請求項３の発明にかかるコンテンツ関連情報提供システムは、前記サービスインデックス付加手段が、サービスインデックスを複数のパートに分解し、各パート毎に異なる電子透かし埋め込み方式を用いてコンテンツデータに埋め込む電子透かし埋め込み装置であることを特徴とする。
【００１３】
これにより、コンテンツに埋め込まれたサービスインデックスの各パートの電子透かし耐性をそれぞれ異なるものとすることができる。
【００１４】
また、請求項４の発明にかかるコンテンツ関連情報提供システムは、前記サービスインデックス取得手段が、電子透かし埋め込み装置からの透かし埋め込み済みコンテンツデータを入力として、複数の異なる電子透かし検出方式を用いてサービスインデックスを各パート毎に検出する電子透かし検出装置であることを特徴とする。
【００１５】
これにより、サービスインデックスの各パート毎の検出の成否、信頼度指標を取得し、これらに対応付けられたサービス情報に従ってコンテンツデータの品質に応じたサービス情報の提供を可能にする。
【００１６】
また、請求項５の発明にかかるコンテンツ関連情報提供システムは、前記サービスインデックス付加手段でコンテンツデータにサービスインデックスを埋め込む電子透かし埋め込み方式が、同一アルゴリズムの埋め込みパラメータの相違で複数種類用意されることを特徴とする。
【００１７】
これにより、各埋め込み方式間でのサービス情報の干渉を少なくすることができる。
【００１８】
また、請求項６の発明にかかるコンテンツ関連情報提供システムは、前記サービスインデックス付加手段でコンテンツデータにサービスインデックスを埋め込む電子透かし埋め込み方式が、異なる種類の耐性を持つアルゴリズムの相違で複数種類用意されることを特徴とする。
【００１９】
これにより、各埋め込み方式間でのサービス情報の干渉をさらに少なくすることができる。
【００２０】
また、請求項７の発明にかかるコンテンツ関連情報提供システムは、前記サービスインデックス取得手段で透かし埋め込み済みコンテンツデータからサービスインデックスを検出する電子透かし検出方式を、同一アルゴリズムの検出パラメータの相違で複数種類用意されることを特徴とする。
【００２１】
これにより、各検出方式間でのサービス情報の干渉を少なく抑えることができる。
【００２２】
また、請求項８の発明にかかるコンテンツ関連情報提供システムは、前記サービスインデックス取得手段で透かし埋め込み済みコンテンツデータからサービスインデックスを検出する電子透かし検出方式を、異なる種類の耐性を持つアルゴリズムの相違で複数種類用意されることを特徴とする。
【００２３】
これにより、各検出方式間でのサービス情報の干渉をさらに少なくすることができる。
【００２４】
また、請求項９の発明にかかるコンテンツ関連情報提供方法は、コンテンツデータに対し、該コンテンツデータに関連するサービス情報を検索するための複数のパートからなるサービスインデックスを付加するサービスインデックス付加ステップと、サービスインデックスの任意のパートまたは任意のパートの組み合わせ毎にサービス情報を対応付けして登録し保持するサービス情報保持ステップと、サービスインデックス付加ステップでコンテンツデータに付加されたサービスインデックスを取得するサービスインデックス取得ステップと、サービスインデックス取得ステップで取得したサービスインデックスの任意のパートまたは任意のパートの組み合わせを用いてこれに対応するサービス情報を検索して取得するサービス情報取得ステップとを含み、コンテンツデータに関連するサービス情報をユーザに提供することを特徴とする。
【００２５】
これにより、耐性の異なる複数の電子透かし方式で、コンテンツデータにサービスインデックスの各パートを埋め込むことができ、サービス情報取得時に、検出可能なパート部分に基づいてデータベースに登録されている関連サービス情報が自動的に得られ、コンテンツデータの品質が劣化した場合にも、これに対応したサービス情報を提供できる。
【００２６】
また、請求項１０の発明にかかるコンテンツ関連情報提供方法は、サービスインデックスを複数のパートに分解して各パート単位で意味付けし、各パート毎に異なる埋め込み方式または異なる埋め込み強度で、コンテンツデータに埋め込むことを特徴とする。
【００２７】
これにより、埋め込み方式または埋め込み強度に応じたサービス品質の変更をパート単位（詳細には何ビット目まで）で実現できる。
【００２８】
また、請求項１１の発明にかかるコンテンツ関連情報提供方法は、サービスインデックスを複数のパートに分解して各パート単位で意味付けすることなく、各パート毎に異なる埋め込み方式または異なる埋め込み強度でコンテンツデータに埋め込むことを特徴とする。
【００２９】
これにより、どのパートまで検出可能といったようなことで、提供するサービス品質を変更できる。
【００３０】
また、請求項１２の発明にかかる提供者装置は、コンテンツデータに対し、該コンテンツデータに関連するサービス情報を検索するための複数のパートからなるサービスインデックスを付加するサービスインデックス付加手段と、サービスインデックスの任意のパートまたは任意のパートの組み合わせ毎にサービス情報を対応付けして登録し保持するサービス情報保持手段とを備え、サービスインデックス付加手段でコンテンツデータに付加されたサービスインデックスに基づいて、前記サービス情報保持手段に保持されたサービス情報を利用者装置へ提供することを特徴とする。
【００３１】
これにより、提供者装置は自身が異なる埋め込み方式でコンテンツに埋め込んだパート毎のサービスインデックスを利用者装置に取得させ、利用者装置が異なる検出方式で検出して送ってきたサービスインデックスに応じて、これに対応するサービス情報を利用者装置に返すことができ、従って利用者に提示するサービス情報の品質をコントロールすることができる。
【００３２】
また、請求項１３の発明にかかる利用者装置は、提供者装置からコンテンツデータに付加されたサービスインデックスを取得するサービスインデックス取得手段と、サービスインデックス取得手段で取得したサービスインデックスの任意のパートまたは任意のパートの組み合わせを用いてサービス情報を提供者装置から検索して取得するサービス情報取得手段とを備え、コンテンツとともにこのコンテンツに関連するサービス情報の提供を受けることを特徴とする。
【００３３】
これにより、提供者装置から入力されたコンテンツデータから異なる検出方式を用いて、利用者装置はサービスインデックスを各パート毎に検出して、検出状況情報とともに出力し、これらの情報を用いて利用者装置からサービス情報を検索することができる。
【００３４】
また、請求項１４の発明にかかるプログラムは、コンテンツデータに対し、該コンテンツデータに関連するサービス情報を検索するための複数のパートからなるサービスインデックスを付加するサービスインデックス付加ステップと、サービスインデックスの任意のパートまたは任意のパートの組み合わせ毎にサービス情報を対応付けして登録し保持するサービス情報保持ステップと、サービスインデックス付加ステップでコンテンツデータに付加されたサービスインデックスを取得するサービスインデックス取得ステップと、サービスインデックス取得ステップで取得したサービスインデックスの任意のパートまたは任意のパートの組み合わせを用いてこれに対応するサービス情報を検索して取得するサービス情報取得ステップとをコンピュータに実行させることを特徴とする。
【００３５】
これにより、コンテンツ関連情報提供システムをコンピュータを利用して実現することができる。
【００３６】
【発明の実施の形態】
以下、本発明の実施の形態を図面を参照して説明する。
【００３７】
本発明の実施の形態におけるコンテンツ関連情報提供システムの構成は、図１に示す通りである。このコンテンツ関連情報提供システムは、ネットワーク上に接続された利用者装置２と提供者装置１とからなる。提供者装置１の中にはサービス情報保持手段としてのサービス情報ＤＢ３とサービスインデックス付加手段としての電子透かし埋め込み装置４がある。利用者装置２の中にはサービスインデックス取得手段としての電子透かし検出装置５とサービス情報取得手段としてのサービス処理装置６がある。
【００３８】
電子透かし埋め込み装置４は、コンテンツデータに対し、該コンテンツデータに対応する広告などのサービス情報を検索するためのサービスインデックスを付加するように機能する。また、サービス情報ＤＢ３は、電子透かし埋め込み装置４とともに提供者装置１に設けられて、サービスインデックスが各パートに分解され、各パートの所定の組み合わせ毎にサービス情報を対応付けして登録し保持するように機能する。
【００３９】
一方、電子透かし検出装置５は、コンテンツデータに付加したサービスインデックスを取得するように機能する。また、サービス処理装置６は、電子透かし検出装置５とともに利用者装置２に設けられ、この電子透かし検出装置５で取得したサービスインデックスを用いてこれに関連するサービス情報をサービス情報ＤＢ３から検索して取得するように機能する。
【００４０】
次に、本発明におけるコンテンツ関連情報提供システムの動作を、図２乃至図６を参照して説明する。
【００４１】
まず、提供者装置１内の電子透かし埋め込み装置４を用いて、コンテンツデータに対して、該コンテンツデータに対応するサービスインデックスを電子透かし技術を用いて埋め込む。図２はこの電子透かし埋め込み装置４の構成を示す。この電子透かし埋め込み装置４はコンテンツデータとサービスインデックスとを入力とし、透かし埋め込み済みコンテンツデータを出力する。サービスインデックスとは、該コンテンツデータに関連付けられるサービス情報を指し示す（検索する）情報である。
【００４２】
また、サービスインデックスの埋め込みの際、サービスインデックス分解部４１でサービスインデックスを複数のパートに分解し、各パート毎に異なる電子透かし埋め込み方式１〜ｎの埋め込み部４２−１〜４２−ｎを用いてコンテンツデータに埋め込むようにする。この際、異なる電子透かし埋め込み方式１〜ｎを、例えば同一のアルゴリズムのパラメータの違いによって実現してもよいし、全く別の方式を用意してもよい。それぞれの方式間の干渉が少ない、すなわちできるだけ独立な方式を用意する。また、例えば電子透かし埋め込み方式１は画像圧縮耐性は優れるが幾何変換耐性は殆どない、電子透かし埋め込み方式２は画像圧縮耐性はある程度実現しているが幾何変換耐性に優れるなど、各方式における電子透かしの耐性はそれぞれ異なるようにしておく。
【００４３】
次に、コンテンツに関連付けられるサービスの情報の登録を行う。図３はこのようなサービス情報を登録するサービス情報ＤＢ３の構成を示す。サービスインデックスは前記サービスインデックス分解部４１で各パートに分解されており、このパートの任意の組み合わせに対してサービス情報を対応付け、サービス情報ＤＢ３に登録する。この際、各パートが前記電子透かし埋め込み装置４で、どのような耐性を持つ埋め込み方式で埋め込まれるかを考慮しながら、対応するサービス情報を決定する。
【００４４】
例えば、パート１は圧縮耐性のみ有り、パート２は幾何変換耐性のみ有り、パート３は色補正耐性のみ有り、といった電子透かし方式で埋め込まれるとした場合を考える。この場合には、コンテンツデータが非圧縮の時にのみ提供したいサービス情報は、パート２とパート３の組み合わせに対応付けて登録する。また、幾何変換がされていないときのみ提供したいサービス情報は、パート１とパート３の組み合わせと対応付けて登録する。さらに、非圧縮・非色補正の時にのみ提供したいサービス情報は、パート１とパート２とパート３の組み合わせと対応付けて登録する。
【００４５】
このようにして提供者装置１で電子透かしが埋め込まれ、関連するサービス情報が登録されたコンテンツデータは、透かし埋め込み済みコンテンツデータとして、ネットワークを介し利用者装置に対して提供される。
【００４６】
次に、提供者装置１から提供される透かし埋め込み済みコンテンツデータが利用者装置２にて入手され、利用者が関連するサービス情報を利用する場合の処理を説明する。
【００４７】
まず、利用者装置２に透かし埋め込み済みコンテンツデータを入力し、電子透かし検出装置５で該透かし埋め込み済みコンテンツデータに埋め込まれているサービスインデックスを、各パート毎に検出する。図４は、このサービスインデックスを各パート毎に検出する電子透かし検出装置５の構成を示す。この電子透かし検出装置５は透かし埋め込み済みコンテンツデータを入力とし、前記電子透かし埋め込み方式１〜ｎに対応する検出部５１−１〜５１−ｎにて検出透かし情報を出力する。すなわち、電子透かし検出装置５内で埋め込み時に用いた複数の異なる透かし検出方式を用いて、透かし埋め込み済みコンテンツデータから、サービスインデックスの各パートを検出する。
【００４８】
このサービスインデックスの各パートを検出する際、図５に示すように、透かし埋め込み済みコンテンツデータが、圧縮や加工編集、印刷・スキャンなどによって劣化している場合、いくつかのパートが検出できなかったり、検出したパートの信頼度が低いことがありうる。しかし、ここでは検出透かし情報として、パート毎について検出した透かし情報およびその検出状況情報（検出の成否、信頼度指標）なども含めて検出透かし情報結合部５２でまとめて出力し、利用者装置２内のサービス処理装置６に送る。
【００４９】
次に、利用者装置２内のサービス処理装置６は提供者装置１に対して前記検出透かし情報を送り、透かし埋め込み済みコンテンツデータに関連するサービス情報の取得要求を行う。検出透かし情報を受け取った提供者装置１は、図６に示すように、サービス情報ＤＢ３内の検出透かし情報内で正しく検出できたパート、あるいは一定以上の信頼度で検出できたパートの組み合わせを求める。また、提供者装置１は、各々の組み合わせに対応付けられたサービス情報がサービス情報ＤＢ３に登録されているかどうかを検索によって調べ、合致する登録内容があれば、登録されているサービス情報を利用者装置２に返答する。この際、可能な限り合致する登録内容を求め、登録されているサービス情報（群）を返答する、としてもよいし、制約の強い、すなわち合致するものの中で組み合わせ数が大きいものについてのみ返答する、としてもよい。
【００５０】
最後に、提供者装置１からサービス情報を受け取った利用者装置２は、サービス処理装置６で、前記サービス情報の利用を行う。
【００５１】
前記コンテンツ関連情報提供方法の実行手順を、図７のフローチャートにまとめて示す。まず、電子透かし埋め込み装置４において、コンテンツデータに対して、該コンテンツデータに対応するサービス情報を検索するためのサービスインデックスを電子透かし技術により付加する（ステップＳ１）。
【００５２】
次に、サービス情報ＤＢ３に対し、サービスインデックスまたはその一部にサービス情報を対応付けして登録し保持する（ステップＳ２）。また、電子透かし検出装置５において、コンテンツデータに付加したサービスインデックスまたはその一部を取得し（ステップＳ３）、さらにサービス処理装置６において、電子透かし検出装置５で取得したサービスインデックスを用いてこれに関連するサービス情報を前記サービス情報保持手段から検索して取得する（ステップＳ４）。こうして提供者装置１から利用者装置２へコンテンツに対応するサービス情報を提供することができる。
【００５３】
このように、本発明では、コンテンツデータに対し、耐性の異なる複数の電子透かし方式を用いて、サービスインデックスの各パートを埋め込むとともに、パートの組み合わせに対応付けて関連するサービス情報をサービス情報ＤＢ３に登録しておく。そして、ユーザによる関連サービス情報の取得時は、検出可能なパート部分をもとに前記登録されている関連サービス情報を検索し、利用者装置２に提供する。これによりコンテンツデータの品質が劣化あるいは変化した際に、それに応じたサービス情報の提供が可能となる。
【００５４】
例えば、印刷・スキャンに対してある程度耐性のある電子透かし方式の埋め込み強度（透かしの耐性を制御するパラメータ）を変化させ、それぞれを異なる電子透かし方式とみなして本実施例に適用した場合を考える。例えば、図８のように、サービスインデックスとして意味のあるＩＤ番号（例えば電話番号のように市外局番＋市内局番のような構造を持っている）を用いた場合、これを複数の意味単位にパート分けし、それぞれを異なる埋め込み強度で埋め込む。この場合には、アナログコピー→スキャンを繰り返す度に、埋め込み強度が低い形で埋め込まれたパートから順に検出ができなくなる。
【００５５】
電話番号の例でいえば、市外局番だけ検出できればだいたいの所在地が分かり、市外局番＋市内局番まで検出できれば実際に電話をかけることができる、といったように検出精度、すなわちコンテンツデータの品質度合に応じたサービス品質の変化を実現できる。
【００５６】
また、例えば、図９のように、サービスインデックスとして意味のある情報を用いない場合でも単一の同じ情報のみを用いて、これらを様々な強度で埋め込むことにより、どのパートまで（何個分まで）検出可能だったか、ということのみでも、提供するサービス品質が変更可能である。
【００５７】
さらに、本実施の形態では利用者装置・提供者装置というくくりの中に各機能を配置したが、電子透かし埋め込み装置、電子透かし検出装置、サービス情報ＤＢ、サービス処理装置といった各機能は、どのような物理的構成で配置されてもよい。
【００５８】
なお、本発明のコンテンツ関連情報提供システムの機能を実現するためのプログラムをコンピュータシステムに実行させることによりサービス情報提供の処理を行うことができる。ここで、コンピュータシステムとは、ＯＳや周辺機器のハードウェアを含むものとする。また、ＷＷＷシステムを利用している場合にはホームページ提供環境を含む。
【００５９】
【発明の効果】
以上のように、本発明は、入力されたサービスインデックスを分解し、各パート毎に異なる埋め込み方式で透かし情報をコンテンツデータに埋め込み、一方、サービスインデックスの任意のパートまたは任意のパートの組み合わせに対応してサービス情報をデータベースに登録し、利用者装置側では、異なる検出方式を用いて各パート毎にサービスインデックスを検出し、さらにパート毎の検出の成否や信頼度指標の情報を取得し、これらの各情報に対応付けられたサービス情報を前記データベースから検索することで、コンテンツデータの品質が劣化あるいは変化した際に、それぞれに応じた品質のサービス情報の提供が可能になる。
【図面の簡単な説明】
【図１】本発明の実施の形態によるコンテンツ関連情報提供システムを示すブロック図
【図２】
図１における電子透かし埋め込み装置を示すブロック図
【図３】
図１におけるサービス情報ＤＢの動作を示す説明図
【図４】
図１における電子透かし検出装置を示すブロック図
【図５】
本発明における透かし埋め込みコンテンツデータ内の電子透かし情報の劣化を
示す説明図
【図６】
本発明におけるサービス情報取得要求時の動作を示す説明図
【図７】
本発明のコンテンツ関連情報提供方法の実行手順の概略を示すフローチャート
【図８】
本発明による効果を示す説明図
【図９】
本発明による効果を示す説明図
【符号の説明】
１：提供者装置、２：利用者装置、３：サービス情報ＤＢ（サービス情報保持手段）、４：電子透かし埋め込み装置（サービスインデックス付加手段）、５：電子透かし検出装置（サービスインデックス取得手段）、６：サービス処理装置（サービス情報取得手段）。
【図１】
2004336187.tif 000003
【図２】
2004336187.tif 000004
【図３】
2004336187.tif 000005
【図４】
2004336187.tif 000006
【図５】
2004336187.tif 000007
【図６】
2004336187.tif 000008
【図７】
2004336187.tif 000009
【図８】
2004336187.tif 000010
【図９】
2004336187.tif 000011